(57)【要約】【課題】異常放電エネルギーを抑制しつつ、回路構成の簡素化を実現する画像形成装置を提供すること。【解決手段】画像形成装置は、放電ワイヤ４２およびグリッド４３を有し、感光体４４を帯電させる帯電器４１と、グリッド電流Ｉｇを検出するグリッド電流検出部８０と、制御部５１と、帯電器４１に発生する異常放電を検出する異常放電検出部７０と、異常放電エネルギーを抑制するための抑制抵抗６７とを備える。抑制抵抗６７は、第１端子６７ａおよび第２端子６７ｂを有し、第１端子６７ａがグリッド４３に接続され、第２端子６７ｂがグリッド電流検出部８０および異常放電検出部７０の少なくとも一方に接続される。【選択図】図２
2012053168.tif 000002
【特許請求の範囲】
【請求項１】
感光体と、
放電ワイヤおよびグリッドを有し、前記感光体を帯電させる帯電器と、
帯電電圧を生成し、前記帯電電圧を前記帯電器の放電ワイヤに印加する印加回路と、
前記グリッドに流れるグリッド電流を検出するグリッド電流検出部と、
前記グリッド電流検出部による検出値に基づいて、前記グリッド電流が一定となるように前記印加回路を制御する制御部と、
前記帯電器に発生する異常放電を検出する異常放電検出部と、
第１端子および第２端子を有し、異常放電エネルギーを抑制するための抑制抵抗であって、前記第１端子が前記グリッドに接続され、前記第２端子が前記グリッド電流検出部および前記異常放電検出部の少なくとも一方に接続される抑制抵抗と、
を備えた画像形成装置。
【請求項２】
請求項１に記載の画像形成装置において、
前記抑制抵抗の前記第２端子は、前記異常放電検出部および前記グリッド電流検出部に接続される、画像形成装置。
【請求項３】
請求項２に記載の画像形成装置において、
前記異常放電検出部は異常放電に起因する異常放電電流を受け取るカップリングコンデンサを含み、
前記グリッド電流検出部は、分圧素子と、前記分圧素子の一端とグランドとの間に接続されるグリッド電流検出抵抗とを含み、
前記抑制抵抗の前記第２端子は前記異常放電検出部のカップリングコンデンサおよび前記グリッド電流検出部の分圧素子に接続される、画像形成装置。
【請求項４】
請求項３に記載の画像形成装置において、
前記分圧素子は定電圧素子によって構成され、
前記定電圧素子と前記グリッド電流検出抵抗との接続点において前記グリッド電流が検出される、画像形成装置。
【請求項５】
請求項１に記載の画像形成装置において、
前記抑制抵抗の第１端子は前記グリッドおよび前記グリッド電流検出部に接続され、
前記抑制抵抗の前記第２端子は前記異常放電検出部に接続される、画像形成装置。
【請求項６】
請求項５に記載の画像形成装置において、
前記異常放電検出部は異常放電に起因する異常放電電流を受け取るカップリングコンデンサを含み、
前記抑制抵抗の前記第２端子は前記カップリングコンデンサに接続される、画像形成装置。
【請求項７】
請求項１に記載の画像形成装置において、
前記異常放電検出部は異常放電に起因する異常放電電流を受け取るカップリングコンデンサを含み、
前記グリッド電流検出部は、分圧素子と、前記分圧素子の一端とグランドとの間に接続されるグリッド電流検出抵抗とを含み、
前記抑制抵抗の前記第２端子は前記グリッド電流検出部の前記分圧素子の他端に接続され、
前記分圧素子の一端と前記グリッド電流検出抵抗との接続点において前記グリッド電流が検出されるとともに、前記接続点に前記カップリングコンデンサが接続される、画像形成装置。
【請求項８】
請求項７に記載の画像形成装置において、
前記分圧素子は定電圧素子によって構成される、画像形成装置。
【発明の詳細な説明】
【技術分野】
【０００１】
本発明は画像形成装置に関し、詳しくは画像形成装置において異常放電の影響を抑制する技術に関する。
【背景技術】
【０００２】
従来、画像形成装置において、異常放電である火花放電の影響を抑制する技術として、例えば、特許文献１には、転写シートと感光体間の火花放電の発生を抑制する抵抗を設ける技術が開示されている。
【先行技術文献】
【特許文献】
【０００３】
【特許文献１】特開平０７−００５７７３号公報
【発明の概要】
【発明が解決しようとする課題】
【０００４】
上述した従来技術文献に開示されたような抵抗は、放電ワイヤおよびグリッドを有する帯電器、すなわち、スコロトロン帯電器においてワイヤ汚れ等により生じる異常放電を検出する回路をグリッドに接続する構成においても採用することができ、異常放電エネルギーを抑制することができる。
【０００５】
本発明は、従来技術からさらに一歩踏み込み、帯電器のグリッドに異常放電検出回路を接続する構成において、異常放電エネルギーを抑制しつつ、回路構成の簡素化を実現する技術を提供するものである。
【課題を解決するための手段】
【０００６】
第１の発明に係る画像形成装置は、感光体と、放電ワイヤおよびグリッドを有し、前記感光体を帯電させる帯電器と、帯電電圧を生成し、前記帯電電圧を前記帯電器の放電ワイヤに印加する印加回路と、前記グリッドに流れるグリッド電流を検出するグリッド電流検出部と、前記グリッド電流検出部による検出値に基づいて、前記グリッド電流が一定となるように前記印加回路を制御する制御部と、前記スコロトロン帯電器に発生する異常放電を検出する異常放電検出部と、第１端子および第２端子を有し、異常放電エネルギーを抑制するための抑制抵抗であって、前記第１端子が前記グリッドに接続され、前記第２端子が前記グリッド電流検出部および前記異常放電検出部の少なくとも一方に接続される抑制抵抗とを備える。
【０００７】
本構成によれば、帯電器に火花放電等の異常放電が発生した場合、異常放電エネルギーを消費して放電エネルギーを低下させる（抑制する）ための抑制抵抗がグリッド側に接続される。グリッド電圧の定電圧化等を考慮すると、抑制抵抗を帯電器の放電ワイヤ側（印加回路と帯電器の間）に設けることも考えられる、しかしながら、帯電電圧はグリッド電圧と比べてかなり電圧が高いため、グリッド側に抑制抵抗を設ける方が、耐電圧が低く、より小型の抵抗を使用することができる。また、帯電電圧が抑制抵抗の電圧降下によって低下することもない。すなわち、帯電器のグリッドに異常放電検出部を接続する構成において、異常放電エネルギーを抑制しつつ、回路構成の簡素化を好適に実現することができる。
【０００８】
第２の発明は、第１の発明の画像形成装置において、前記抑制抵抗の前記第２端子は、前記異常放電検出部および前記グリッド電流検出部に接続される。
本構成によれば、抑制抵抗が、グリッドと異常放電検出部およびグリッド電流検出部との間に接続される構成となる。そのため、異常放電検出部およびグリッド電流検出部に対して印加される電圧を低減することができる。そのため、異常放電検出部およびグリッド電流検出部において、耐電圧が低く、より小型の電気部品を使用できる。
【０００９】
第３の発明は、第２の発明の画像形成装置において、前記異常放電検出部は異常放電に起因する異常放電電流を受け取るカップリングコンデンサを含み、前記グリッド電流検出部は、分圧素子と、前記分圧素子の一端とグランドとの間に接続されるグリッド電流検出抵抗とを含み、前記抑制抵抗の前記第２端子は前記異常放電検出部のカップリングコンデンサおよび前記グリッド電流検出部の分圧素子に接続される。
本構成によれば、抑制抵抗をグリッド電流検出部のさらなる分圧素子として兼用できるので、グリッド電流検出部を構成する分圧素子として耐電圧の低い分圧素子、例えば、分圧抵抗を使用することができる。また、グリッド電圧が抑制抵抗とカップリングコンデンサによって分圧されるため、カップリングコンデンサにかかるストレス（電圧負荷）が低減される。
【００１０】
第４の発明は、第３の発明の画像形成装置において、前記分圧素子は定電圧素子によって構成され、前記定電圧素子と前記グリッド電流検出抵抗との接続点において前記グリッド電流が検出される。
本構成によれば、グリッド電流を定電流制御しつつ、定電圧素子によってグリッド電圧をある程度（抑制抵抗による影響の範囲内で）、定電圧化することができる。
【００１１】
第５の発明は、第１の発明の画像形成装置において、前記抑制抵抗の第１端子は前記グリッドおよび前記グリッド電流検出部に接続され、前記抑制抵抗の前記第２端子は前記異常放電検出部に接続される。
本構成によれば、グリッド電流検出部に影響をほとんど与えずに、抑制抵抗をグリッド側に設けることができる。
【００１２】
第６の発明は、第５の発明の画像形成装置において、前記異常放電検出部は異常放電に起因する異常放電電流を受け取るカップリングコンデンサを含み、前記抑制抵抗の前記第２端子は前記カップリングコンデンサに接続される。
【００１３】
本構成によれば、グリッド電圧が抑制抵抗とカップリングコンデンサによって分圧されるため、カップリングコンデンサにかかるストレス（電圧負荷）が低減される。
【００１４】
第７の発明は、第１の発明の画像形成装置において、前記異常放電検出部は異常放電に起因する異常放電電流を受け取るカップリングコンデンサを含み、前記グリッド電流検出部は、分圧素子と、前記分圧素子の一端とグランドとの間に接続されるグリッド電流検出抵抗とを含み、前記抑制抵抗の前記第２端子は前記グリッド電流検出部の前記分圧素子の他端に接続され、前記分圧素子の一端と前記グリッド電流検出抵抗との接続点において前記グリッド電流が検出されるとともに、前記接続点に前記カップリングコンデンサが接続される。
本構成によれば、カップリングコンデンサを、グリッド電流を平均化するグリッド電流検出部のコンデンサとして共通化することができるので、グリッド電流検出部のコンデンサを削減でき、回路構成をより簡素化できる。
【００１５】
第８の発明は、第７の発明の画像形成装置において、前記分圧素子は定電圧素子によって構成される。
本構成によれば、グリッド電流を定電流制御しつつ、定電圧素子によってグリッド電圧を、ある程度（抑制抵抗による電圧降下の影響下で）、定電圧化することができる。
【図面の簡単な説明】
【００１６】
【図１】実施形態１に係るプリンタの内部構成を表す概略断面図
【図２】実施形態１の高圧電源装置に係る概略的な回路図
【図３】実施形態２の高圧電源装置に係る概略的な回路図
【図４】実施形態３の高圧電源装置に係る概略的な回路図
【図５】別の高圧電源装置に係る概略的な回路図
【発明を実施するための形態】
【００１７】
＜実施形態１＞
本発明の実施形態１を、図１〜図２を参照しつつ説明する。  
１．プリンタの全体構成
図１は、実施形態１のカラープリンタ１（画像形成装置の一例）の内部構成を表す概略断面図である。以下の説明では、各構成要素について、色毎に区別する場合は各部の符号にＹ（イエロー），Ｍ（マゼンタ），Ｃ（シアン），Ｋ（ブラック）の添え字を付し、区別しない場合は添え字を省略する。なお、画像形成装置は、カラープリンタに限られず、例えば、ＦＡＸおよびコピー機能を有する複合機であってもよい。
【００１８】
カラープリンタ（以下、単に「プリンタ」という）１は、給紙部３、画像形成部５、搬送機構７、定着部９、および高圧電源装置５０を含む。プリンタ１は、例えば外部から入力される画像データに応じた１または複数色（本実施形態ではイエロー、マゼンタ、シアン、ブラックの４色）のトナー（現像剤）からなるトナー像を、シート１５（用紙、ＯＨＰシートなど）に形成する。
【００１９】
給紙部３は、プリンタ１の最下部に設けられており、シート１５を収容するトレイ１７と、ピックアップローラ１９とを含む。トレイ１７に収容されたシート１５は、ピックアップローラ１９により１枚ずつ取り出され、搬送ローラ１１，レジストレーションローラ１２を介して搬送機構７に送られる。
【００２０】
搬送機構７は、シート１５を搬送するためのものであり、例えば、プリンタ１内に形成された所定の装着部（図示せず）に着脱自在に装着される。搬送機構７は、駆動ローラ３１、従動ローラ３２、およびベルト３４を含み、ベルト３４は、駆動ローラ３１と従動ローラ３２との間に架け渡されている。駆動ローラ３１が回動すると、ベルト３４は、感光ドラム４４と対向する側の表面が、図１中の右方向から左方向へ移動する。これにより、レジストレーションローラ１２から送られてきたシート１５が、画像形成部５へと搬送される。また、搬送機構７は、４つの転写ローラ３３を含む。
【００２１】
画像形成部５は、４個のプロセスユニット４０Ｙ，４０Ｍ，４０Ｃ，４０Ｋおよび４個の露光装置４５を含む。各プロセスユニット４０は、スコロトロン帯電器４１、感光ドラム（感光体の一例）４４、ユニットケース４６、現像ローラ４７、および供給ローラ４８を含む。各プロセスユニット４０Ｙ，４０Ｍ，４０Ｃ，４０Ｋは、プリンタ１内に形成された所定の装着部（図示せず）に着脱自在に着される。
【００２２】
感光ドラム４４は、例えば、アルミニウム製の基材上に、正帯電性の感光層が形成されたものであり、アルミニウム製の基材が、例えば、導電性の軸４４ａを介してプリンタ１のグランドラインに接続されている。スコロトロン帯電器（以下、単に「帯電器」という）４１はスコロトロン型の帯電器であり、放電ワイヤ４２およびグリッド４３を有する。放電ワイヤ４２に帯電電圧ＣＨＧが印加され、グリッド４３のグリッド電圧ＧＲＩＤは、感光ドラム４４の表面がほぼ同電位（例えば、＋７００Ｖ）になるように制御される。
【００２３】
露光装置４５は、例えば、感光ドラム４４の回転軸方向に沿って一列状に並んだ複数の発光素子（例えばＬＥＤ）を有し、複数の発光素子を、外部より入力される画像データに応じて発光制御することにより、感光ドラム４４の表面に静電潜像を形成する。なお、露光装置４５は、プリンタ１内に固定設置される。露光装置４５はレーザを使用したものであってもよい。
【００２４】
ユニットケース４６は、各色のトナー（本実施形態では、例えば正帯電性の非磁性１成分トナー）を収納するとともに、現像ローラ４７および供給ローラ４８を有する。トナーは、供給ローラ４８の回転により現像ローラ４７に供給され、供給ローラ４８と現像ローラ４７との間で正に摩擦帯電される。さらに、現像ローラ４７が、トナーを均一な薄層として感光ドラム４４上へ供給することによって静電潜像を現像して、感光ドラム４４上にトナー象を形成する。
【００２５】
各転写ローラ３３は、各感光ドラム４４との間でベルト３４を挟む位置に配置されている。各転写ローラ３３は、感光ドラム４４との間にトナーの帯電極性とは逆極性（ここでは、負極性）の転写電圧が印加されることで、感光ドラム４４上に形成されたトナー像をシート１５に転写する。その後、シート１５は、搬送機構７により定着部９へと搬送され、定着部９にてトナー像が熱定着され、プリンタ１の上面に排出される。
【００２６】
２．高圧電源装置の構成
次に、図２を参照して、プリンタ１の本発明に関連する電気的構成を説明する。図２は、回路基板（図示せず）に実装される高圧電源装置５０の概略的なブロック図および高圧電源装置５０に関連する接続構成を示す。
【００２７】
高圧電源装置５０は、ＣＰＵ（制御部の一例）５１、ＣＰＵ５１に接続された高圧電源回路５２を含む。ＣＰＵ５１は、高圧電源回路５２の制御の他に、プリンタ全体の制御を司る。なお、制御部はＣＰＵに限られず、例えば、ＡＳＩＣ（特定用途向けＩＣ）であってもよい。
【００２８】
高圧電源回路５２は、帯電電圧生成回路（印加回路の一例）６０、抑制抵抗６７、異常放電検出回路（異常放電検出部の一例）７０、およびグリッド電流検出回路（グリッド電流検出部の一例）８０を含む。なお、高圧電源回路５２は、各帯電器（４１Ｋ〜４１Ｃ）に対してそれぞれ設けられが、構成が同一のため、図２には一個の高圧電源回路５２のみが示される。
【００２９】
帯電電圧生成回路６０は、トランス駆動回路６１および昇圧回路６２を含む。帯電電圧生成回路６０は、帯電器４１の放電ワイヤ４２に印加する帯電電圧ＣＨＧを生成する。帯電電圧ＣＨＧの放電ワイヤ４２への印加に伴って、放電ワイヤ４２からグリッド４３に対する放電が発生する。その放電によって、グリッド４３にはグリッド電圧ＧＲＩＤが生成される。帯電電圧ＣＨＧは、例えば、５．５ｋＶ〜８ｋＶであり、グリッド電圧ＧＲＩＤは、例えば、約７００Ｖである。
【００３０】
トランス駆動回路６１は、例えば、ＣＰＵ５１のポートＰＷＭ１からのＰＷＭ（Pulse Width Modulation；パルス幅変調）信号を受けて、ＰＷＭ信号を平滑し、平滑されたＰＷＭ信号に基づいて、昇圧回路６２のトランス６３の１次側巻線６３ａに発振電流を流す。そして、ここでは、ＰＷＭ信号のデューティ比に応じて、帯電電圧ＣＨＧの値が制御される。例えば、ＰＷＭ信号のデューティ比が大きくなるほど昇圧回路６２によって生成される帯電電圧ＣＨＧが大きくなるように制御される。
【００３１】
昇圧回路６２は、例えば、トランス６３、整流ダイオード６４、平滑コンデンサ６５を含む。このような構成により、トランス６３の１次側巻線６３ａの電圧は、２次側巻線６３ｂを介して昇圧され、整流ダイオード６４および平滑コンデンサ６５によって整流・平滑され、帯電電圧ＣＨＧが生成される。帯電電圧ＣＨＧは、帯電器４１の放電ワイヤ４２に印加される。
【００３２】
異常放電検出回路７０は、帯電器４１において火花放電（異常放電の一例）が発生したことを、火花放電に起因して帯電器４１に瞬間的に流れる異常放電電流を検出することによって検出する。異常放電検出回路７０は、種々の公知回路で構成することが可能であり、図２にはその一例が示されている。
【００３３】
異常放電検出回路７０は、例えば、カップリングコンデンサ７１、コンデンサ７２，７７、抵抗７３，７６、バイアス抵抗７４，７５、およびトランジスタＱ１等を含む。
【００３４】
カップリングコンデンサ７１は、帯電器４１での火花放電に起因する異常放電電流を受け取る。すなわち、放電ワイヤ４２とグリッド４３との間で火花放電が発生すると、グリッド４３に流れるグリッド電流Ｉｇが断続的に大きく変化する。そして、カップリングコンデンサ７１により、グリッド電流Ｉｇの交流成分が取り出され、その交流成分に応じてトランジスタＱ１がオンオフする。すなわち、放電ワイヤ４２とグリッド４３との間に所定レベル以上の火花放電が発生する毎にトランジスタＱ１がオンする。ＣＰＵ５１は、トランジスタＱ１からのオフ信号を入力ポートＩＰ１から読み取り、火花放電の発生を検知する。
【００３５】
グリッド電流検出回路８０は、分圧抵抗（分圧素子の一例）８１、グリッド電流検出抵抗８２およびコンデンサ８３を含み、グリッド４３に流れるグリッド電流を検出する。グリッド電流検出抵抗８２の一端が分圧抵抗８１に接続され、その他端がグランドに接続される。そして、分圧抵抗８１とグリッド電流検出抵抗８２との接続点Ｐ１における電圧値が、グリッド電流Ｉｇの検出信号としてＣＰＵ５１のポートＡ／Ｄ１に供給される。なお、コンデンサ８３は、グリッド電流Ｉｇを平均化する機能を有する。
【００３６】
ＣＰＵ５１は、グリッド電流検出回路８０による検出値に基づいて、グリッド電流Ｉｇが一定となるように帯電電圧生成回路６０を制御する。それによって、感光ドラム４４の帯電が安定して行われる。グリッド電流Ｉｇは、グリッド電流検出抵抗８２による検出値（検出電圧値）と、グリッド電流検出抵抗８２の抵抗値によって検出される。
【００３７】
抑制抵抗６７は第１端子６７ａおよび第２端子６７ｂを有し、帯電器４１において火花放電が発生した場合に異常放電エネルギーを抑制するために設けられる。その抵抗値は、例えば、１ＭΩである。第１端子６７ａが帯電器４１のグリッド４３に接続され、第２端子６７ｂがグリッド電流検出回路８０および異常放電検出回路７０の少なくとも一方に接続される。本実施形態では、第２端子６７ｂは、グリッド電流検出回路８０および異常放電検出回路７０に接続される。詳しくは、第２端子６７ｂは、グリッド電流検出回路８０の分圧抵抗８１および異常放電検出回路７０のカップリングコンデンサ７１に接続される。
【００３８】
３．実施形態１の効果
このように、実施形態１では、抑制抵抗６７が、グリッド４３と、異常放電検出回路７０およびグリッド電流検出回路８０との間に接続される。すなわち、
帯電器４１に火花放電等の異常放電が発生した場合、異常放電エネルギーを消費して放電エネルギーを低下させる（抑制する）ための抑制抵抗６７が、グリッド側に接続される。なお、抑制抵抗６７の配置に関して、グリッド電圧ＧＲＩＤの定電圧化等を考慮すると、抑制抵抗６７を帯電器４１の放電ワイヤ側（帯電電圧生成回路６０と帯電器４１との間）に設けることも考えられる、しかしながら、帯電電圧ＣＨＧ（５．５ｋＶ〜８ｋＶ）はグリッド電圧ＧＲＩＤ（約７００Ｖ）と比べてかなり電圧が高い。そのため、グリッド側に抑制抵抗６７を設ける方が、抑制抵抗６７として、耐電圧が低く、より小型の抵抗を使用することができる。また、放電ワイヤ側に設けられる場合と比べて、帯電電圧ＣＨＧが抑制抵抗６７の電圧降下によって低減されることもない。
【００３９】
また、抑制抵抗６７による電圧降下のため、異常放電検出回路７０およびグリッド電流検出回路８０に印加されるグリッド電圧ＧＲＩＤを低減することができる。すなわち、抑制抵抗６７をグリッド電流検出回路８０のさらなる分圧素子として兼用できるので、耐電圧のより低い分圧抵抗８１を使用することができる。また、グリッド電圧ＧＲＩＤが抑制抵抗６７とカップリングコンデンサ７１とによって分圧されるため、カップリングコンデンサ７１にかかるストレス（電圧負荷）が低減される。
【００４０】
すなわち、スコロトロン帯電器４１のグリッド４３に異常放電検出回路７０を接続する構成において、異常放電エネルギーを抑制しつつ、回路構成の簡素化を好適に実現することができる。
【００４１】
＜実施形態２＞
次に、本発明の実施形態２を、図３を参照しつつ説明する。実施形態１とは、高圧電源回路５２Ａにおける抑制抵抗６７の接続構成のみが相違する。そのため、実施形態１の高圧電源回路５２と同一の構成には同一の符号を符し、その説明を省略する。
【００４２】
すなわち、図３に示されるように、実施形態２においては、抑制抵抗６７の第１端子６７ａがグリッド４３およびグリッド電流検出回路８０に接続され、抑制抵抗６７の第２端子６７ｂが異常放電検出回路７０に接続される。詳しくは、第１端子６７ａは、グリッド４３およびグリッド電流検出回路８０の分圧抵抗８１に接続され、第２端子６７ｂは、異常放電検出回路７０のカップリングコンデンサ７１に接続される。
【００４３】
この抑制抵抗６７の接続構成によれば、グリッド電流検出回路８０に影響をほとんど与えずに、抑制抵抗６７をグリッド側に設けることができる。また、グリッド電圧ＧＲＩＤが抑制抵抗６７とカップリングコンデンサ７１によって分圧されるため、カップリングコンデンサ７１にかかるストレス（電圧負荷）が低減される。
【００４４】
＜実施形態３＞
次に、本発明の実施形態３を、図４を参照しつつ説明する。実施形態１とは、高圧電源回路５２Ｂにおける異常放電検出回路７０の接続に係る構成のみが相違する。そのため、実施形態１の高圧電源回路５２と同一の構成には同一の符号を符し、その説明を省略する。
【００４５】
実施形態３の高圧電源回路５２Ｂでは、異常放電検出回路７０のカップリングコンデンサ７１が、グリッド電流検出回路８０の分圧抵抗８１の一端とグリッド電流検出抵抗８２の一端との接続点Ｐ１に接続される。また、グリッド電流検出回路８０において、図２に示されるコンデンサ８３が省略されている。
【００４６】
すなわち、異常放電検出回路７０Ａのカップリングコンデンサ７１を、グリッド電流検出回路８０の接続点Ｐ１に接続する構成では、異常放電検出回路７０Ａのカップリングコンデンサ７１およびコンデンサ７２が、コンデンサ８３の機能（グリッド電流Ｉｇの平均化）を兼用できる。そのため、グリッド電流検出回路８０のコンデンサ８３を削減でき、回路構成をより簡素化できる。
【００４７】
＜他の実施形態＞
本発明は上記記述及び図面によって説明した実施形態に限定されるものではなく、例えば次のような実施形態も本発明の技術的範囲に含まれる。
【００４８】
（１）上記第１および第３実施形態おいて、グリッド電流検出回路８０の分圧素子を分圧抵抗８１によって構成する例を示したがこれに限られない。例えば、分圧素子を定電圧素子によって構成するようにしてもよい。例えば、図５に示されるように、分圧素子をツェナーダイオードＺＤ１によって構成するようにしてもよい。この場合、グリッド電流Ｉｇを定電流制御しつつ、ツェナーダイオードＺＤ１によってグリッド電圧ＧＲＩＤを、ある程度（すなわち、抑制抵抗６７による電圧降下の影響下で）、定電圧化することができる。
【符号の説明】
【００４９】
１…プリンタ
４１…スコロトロン帯電器
４２…放電ワイヤ
４３…グリッド
４４…感光ドラム
５１…ＣＰＵ
６０…帯電電圧生成回路
６７…抑制抵抗
７０…異常放電検出回路
７１…カップリングコンデンサ
８０…グリッド電流検出回路
８１…分圧抵抗
ＺＤ１…ツェナーダイオード
【図１】
2012053168.tif 000003
【図２】
2012053168.tif 000004
【図３】
2012053168.tif 000005
【図４】
2012053168.tif 000006
【図５】
2012053168.tif 000007